(57)【要約】  タバコ陳列システム１０００は、複数のウォールユニット５００を上下方向に連結することができ、その前面の所望の位置にトレーユニット２００を配置することができる。そのトレーユニット２００の各々に複数のマガジンユニット１００を左右方向に配列させて保持させることができ、そのマガジンユニット１００の各々に複数のタバコパックＴを前後方向に配列させて保持させることができる。このため、上下左右に配列させて陳列するタバコパックＴのレイアウトを自在に変更することができ、マガジンユニット１００に収容できない形態のタバコカートンＫなどでも陳列することができる。このように、陳列するタバコパックＴのレイアウトなどを各種に変更することができる構造のタバコ陳列システム１０００を提供する。
2008041359.tif 000002
【特許請求の範囲】
【請求項１】
販売されるタバコパックを陳列するためのタバコ陳列システムであって、
前後方向に細長い上面開口のボックス状に形成されていて前後方向に配列された複数の前記タバコパックを保持する形状の複数のマガジンユニットと、
上面開口のボックス状に形成されていて左右方向に配列された複数の前記マガジンユニットを着脱自在に保持する形状の複数のトレーユニットと、
前後方向に扁平な平板状に形成されていて前面に所定形状の凹凸が形成されている複数のウォールユニットと、
複数の前記ウォールユニットを上下方向に連結するウォール連結機構と、
前記ウォールユニットの前記凹凸に着脱自在に係合する係合機構と前記トレーユニットを着脱自在に保持する支持フレームとを有する複数のトレーアタッチメントと、
を有するタバコ陳列システム。
【請求項２】
前記マガジンユニットとして、保持する前記タバコパックの個数とともに前後長が相違する複数種類があり、
前記トレーユニットとして、複数種類の前記マガジンユニットに対応して前後長が相違する複数種類がある請求項１に記載のタバコ陳列システム。
【請求項３】
前記トレーユニットとして、保持する前記マガジンユニットの個数とともに左右幅が相違する複数種類があり、
前記トレーアタッチメントとして、複数種類の前記トレーユニットに対応して左右幅が相違する複数種類がある請求項１または２に記載のタバコ陳列システム。
【請求項４】
前面開口のボックス状に形成されていて上下方向に離間した配置で複数の前記トレーユニットを着脱自在に保持する形状の複数のフレームユニットと、
前記ウォールユニットの前記凹凸に着脱自在に係合する係合機構と前記フレームユニットを懸架するフレーム懸架部とを有するフレームアタッチメントとを、
さらに有する請求項１ないし３の何れか一項に記載のタバコ陳列システム。
【請求項５】
前面開口のボックス状に形成されていて上下方向に離間した配置で複数の前記トレーユニットを着脱自在に保持する形状の複数のフレームユニットと、
前記ウォールユニットの前記凹凸に着脱自在に係合する係合機構と前記フレームユニットを懸架するフレーム懸架部とを有するフレームアタッチメントとを、さらに有し、
前記フレームユニットとして、複数種類の前記トレーユニットに対応して左右幅が相違する複数種類がある請求項３に記載のタバコ陳列システム。
【請求項６】
前記フレームユニットとして、保持する前記トレーユニットの個数とともに上下高が相違する複数種類がある請求項４または５に記載のタバコ陳列システム。
【請求項７】
複数の前記フレームユニットを上下方向に連結するフレーム連結機構を、さらに有する請求項４ないし６の何れか一項に記載のタバコ陳列システム。
【請求項８】
前記ウォールユニットの前記凹凸に着脱自在に係合する係合機構と前後方向に細長いシャフト部とを有するシャフトユニットを、さらに有する請求項１ないし７の何れか一項に記載のタバコ陳列システム。
【請求項９】
前記ウォールユニットの前記凹凸に着脱自在に係合する係合機構と上面が開口したボックス状に形成されているバスケット部とを有するバスケットユニットを、さらに有する請求項１ないし８の何れか一項に記載のタバコ陳列システム。
【請求項１０】
前記ウォールユニットとして、
下端に台座が一体に形成されていて上端に前記ウォール連結機構が搭載されているベースウォールと、
下端と上端とに前記ウォール連結機構が搭載されているパネルウォールと、
を有する請求項１ないし９の何れか一項に記載のタバコ陳列システム。
【請求項１１】
平坦な上面の前後長と左右幅とが前記ベースウォールの台座と同等で前面が開閉自在なボックス状のストッカユニットを、さらに有する請求項１０に記載のタバコ陳列システム。
【請求項１２】
前記ウォールユニットは、左右方向に各々連通する複数の前記凹凸が上下方向に所定間隔で配列された形状に形成されている請求項１ないし１１の何れか一項に記載のタバコ陳列システム。
【請求項１３】
前記タバコパックが直方体状に形成されており、
パッケージされた複数の前記タバコパックからなる直方体状のタバコカートンがあり、
前記トレーユニットは、左右方向に細長く配置された前記タバコカートンが載置される形状に形成されている請求項１ないし１２の何れか一項に記載のタバコ陳列システム。
【請求項１４】
前記マガジンユニットは、前記タバコパックが載置される底面に前後方向にスライド自在に配置されているスライダ部材と、前記スライダ部材を弾発的に前方に付勢している付勢機構と、を有し、
少なくとも前記スライダ部材がスライド移動する範囲では前記底面が凸部を有しない平面からなる請求項１ないし１３の何れか一項に記載のタバコ陳列システム。
【請求項１５】
前記トレーユニットの底面に着脱自在に装着されるスライダユニットを、さらに有し、
前記スライダユニットは、前後方向に細長いガイドレールと、前記ガイドレールを前記トレーユニットの底面に着脱自在に装着する着脱機構と、前記ガイドレールにスライド自在に支持されているスライダ部材と、前記スライダ部材を弾発的に前方に付勢している付勢機構と、を有する請求項１ないし１４の何れか一項に記載のタバコ陳列システム。
【発明の詳細な説明】
【技術分野】
【０００１】
本発明は、販売されるタバコパックを陳列するためのタバコ陳列システムに関し、特に、コンビニエンスストアなどで利用されるタバコ陳列システムに関する。
【背景技術】
【０００２】
現在、いわゆるコンビニエンスストアなどの店舗では、タバコパックを陳列して販売している。なお、ここで云うタバコパックとは、実際に喫煙される紙巻タバコではなく、複数の紙巻タバコを収容している直方体状のパッケージを意味している。【０００３】
タバコパックを陳列するタバコ陳列システムは、例えば、複数のマガジンユニットと一個のシステムフレームからなる。マガジンユニットは、例えば、無色透明な樹脂により、前後方向に細長い上面開口のボックス状に形成されている。【０００４】
マガジンユニットは、立設された状態のタバコパックが前後方向に配列された状態で上方から収容される。なお、マガジンユニットには、スライダ部材が底面に前後方向にスライド自在に装着されている。【０００５】
より詳細には、マガジンユニットの底部には、前後方向に細長い開口孔が形成されている。その開口孔の左右両側には上方に突出したリブが形成されている。そして、この一対のリブと開口孔にスライダ部材が前後方向にスライド自在に装着されている。【０００６】
さらに、スライダ部材の後部には、付勢機構となる巻回された板バネが装着されている。その板バネの一端はスライダ部材から引き出されてマガジンユニットの底部前方に装着されている。【０００７】
このため、前後方向にスライド自在なスライダ部材が、板バネにより弾発的に前方に付勢されている。従って、マガジンユニットに収容された複数のタバコパックは、スライダ部材により最前部に押圧される。【０００８】
システムフレームは、複数のマガジンユニットを上下左右に配列して保持する。システムフレームは、複数のガイドレールと一個の本体フレームからなる。ガイドレールは、一対でマガジンユニットの両側部を保持する。本体フレームは、例えば、金属棒で立体形状に形成されている。本体フレームの要所に複数のガイドレールが一対ずつ固定されている。【０００９】
上述のようなタバコ陳列システムでは、例えば、２０個のマガジンユニットが、４行５列などの配列でシステムフレームに装着される。そのマガジンユニットの各々に、例えば、１０個のタバコパックが収容される。【００１０】
このようなタバコ陳列システムでは、無色透明なマガジンユニットにタバコパックが立設した状態で収容されるので、そのタバコパックの表面が前面に位置する状態で陳列される。従って、タバコ陳列システムは、例えば、２０種類のタバコパックを陳列しながら、各々１０個ずつ収容するようなことができる。【００１１】
タバコパックを販売するときには、マガジンユニットの最前の位置から上方に抜き出せばよい。その場合、マガジンユニットに収容されているタバコパックはスライダ部材により前方に押圧される。このため、マガジンユニットの最前の位置からタバコパックが抜き出されても、その位置にタバコパックが配置された状態が維持される。【００１２】
タバコ陳列システムにタバコパックを補充するときには、システムフレームからマガジンユニットが取り外される。そのマガジンユニットにタバコパックが収容され、このタバコパックが収容されたマガジンユニットがシステムフレームに装着される。このため、システムフレームに固定されているマガジンユニットにタバコパックを補充するような煩雑な作業が必要ない。【００１３】
また、上述のようなタバコ陳列システムでは、例えば、システムフレームからマガジンユニットを取り外すことにより、そのマガジンユニットを洗浄したり清掃することもできる。
【特許文献１】特開平１０−１５１０４７号公報
【発明の開示】
【発明が解決しようとする課題】
【００１４】
従来のタバコ陳列システムは、システムフレームの全体形状が固定されている。このため、例えば、設置したい空間が小さいと設置できないことがある。一方、設置空間が大きいと、デッドスペースが発生する。【００１５】
つまり、従来のタバコ陳列システムでは、設置する空間の変化などに柔軟に対応することができない。このため、店舗の空間を最大限に有効利用しながら、効果的な売場を構築するようなことができない。【００１６】
従って、従来は店舗はタバコパックを多様に陳列することができなかった。このため、店舗が積極的にタバコパックの陳列形態を工夫して訴求効果が良好な売場を構築するようなことがなかった。同様に、店舗にタバコパックを供給する企業なども、多様な陳列形態を提案するようなことができなかった。【００１７】
さらに、従来のタバコ陳列システムは、充分な数量のタバコパックを陳列するために大型化されている。このため、従来のタバコ陳列システムは、全体に大型で重量もある。従って、店舗に搬入して設置することも容易ではない。【００１８】
例えば、コンビニエンスストアは、２４時間営業の店舗が多い。このため、タバコ陳列システムの搬入や設置を、顧客に店舗を開放している状態で実行する必要がある。換言すると、タバコ陳列システムの搬入や設置を迅速に省スペースで実行する必要がある。しかし、従来のタバコ陳列システムは、これが困難である。【００１９】
また、従来は顧客にタバコパックを訴求するため、例えば、タバコ陳列システムに宣伝用のパーツを装着するなどしている。しかし、換言するとタバコパックの訴求効果を向上させるために、従来は宣伝パーツなどを必要としている。【００２０】
従来のタバコ陳列システムでは、上述のように簡単に迅速に搬入して設置することも困難であり、設置場所にもタバコパックの陳列形態にも柔軟性がなく、訴求効果が高い売場を演出するようなことができない。【００２１】
また、上述のようなタバコ陳列システムは、例えば、店舗のカウンタ上などに設置される。すると、顧客はタバコ陳列システムの前方に位置し、店員はタバコ陳列システムの後方に位置することになる。【００２２】
このような場合、例えば、タバコ陳列システムを間仕切りとしても使用したいことがある。しかし、従来のタバコ陳列システムは、マガジンユニットが上下左右に離間されて配列されているので、間仕切りとして機能することができない。【００２３】
また、タバコ陳列システムは店舗の壁面に沿わせて設置されることがある。その場合、外観などの観点から、顧客に壁面が見えないことが要求される場合がある。しかし、従来のタバコ陳列システムは、前述のようにマガジンユニットの隙間から壁面が見えることを防止できない。【００２４】
つまり、従来のタバコ陳列システムでは、間仕切りとして機能することや、壁面を遮蔽することなどにより、訴求効果が高いタバコパックの売場を演出するようなことが想定されていない。【００２５】
本発明は上述のような課題に鑑みてなされたものであり、全体形状や陳列するタバコパックのレイアウトなどを各種に変更することができる構造のタバコ陳列システムを提供するものである。
【課題を解決するための手段】
【００２６】
本発明のタバコ陳列システムは、販売されるタバコパックを陳列するためのタバコ陳列システムであって、前後方向に細長い上面開口のボックス状に形成されていて前後方向に配列された複数のタバコパックを保持する形状の複数のマガジンユニットと、上面開口のボックス状に形成されていて左右方向に配列された複数のマガジンユニットを着脱自在に保持する形状の複数のトレーユニットと、前後方向に扁平な平板状に形成されていて前面に所定形状の凹凸が形成されている複数のウォールユニットと、複数のウォールユニットを上下方向に連結するウォール連結機構と、ウォールユニットの凹凸に着脱自在に係合する係合機構とトレーユニットを着脱自在に保持する支持フレームとを有する複数のトレーアタッチメントと、を有する。【００２７】
従って、本発明のタバコ陳列システムでは、ウォール連結機構により複数のウォールユニットを上下方向に連結することができ、そのウォールユニットの前面にトレーアタッチメントでトレーユニットを装着することができる。そのトレーユニットの各々に複数のマガジンユニットを左右方向に配列させて保持させることができ、そのマガジンユニットの各々に複数のタバコパックを前後方向に配列させて保持させることができる。このため、種類ごとに前後方向に配列させた複数種類のタバコパックを上下左右に配列させて陳列するようなことができる。【００２８】
その場合、トレーユニットに保持させるマガジンユニットの個数および配置、ウォールユニットに装着するトレーユニットの個数および配置、上下方向に連結するウォールユニットの個数、左右方向に配列するウォールユニットの個数、が変更自在である。このため、上下左右に配列させて陳列するタバコパックのレイアウトが自在に変更される。また、店舗に簡単に迅速に搬入して設置することができる。さらに、設置場所にもタバコパックの陳列形態にも柔軟性があるので、訴求効果が高い売場を演出するようなことができる。特に、ウォールユニットが間仕切りとして機能する。このため、例えば、顧客の位置と店員の位置とを良好に隔絶させながら、顧客にタバコパックを良好に陳列するようなことができる。しかも、壁面に沿わせて設置された場合に、顧客に壁面が見えない状態として訴求効果を向上させることができる。【００２９】
なお、本発明では上下以外に前後左右の方向も規定しているが、これは本発明の構成要素の相対関係を簡単に説明するために便宜的に規定したものであり、本発明を実施する場合の製造時や使用時の方向を限定するものではない。【００３０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【図面の簡単な説明】
【００３１】
上述した目的、および、その他の目的、特徴および利点は、以下に述べる好適な実施の形態、および、それに付随する以下の図面によって、さらに明らかになる。
【図１】本発明の実施の形態のタバコ陳列システムの外観を示す斜視図である。
【図２】二種類のマガジンユニットの外観を示す斜視図である。
【図３】マガジンユニットにタバコパックが収容される状態を示す分解斜視図である。
【図４】マガジンユニットにタバコパックが収容された状態を示す斜視図である。
【図５】タバコパックが収容されたマガジンユニットが四種類のトレーユニットの一つにセットされる状態を示す分解斜視図である。
【図６】タバコパックが収容されたマガジンユニットが四種類のトレーユニットの一つにセットされる状態を示す分解斜視図である。
【図７】四種類のトレーユニットの一つを示す斜視図である。
【図８】タバコパックが収容されたマガジンユニットが四種類のトレーユニットの一つにセットされる状態を示す分解斜視図である。
【図９】二種類のウォールユニットの外観を示す斜視図である。
【図１０】ウォールユニットの凹凸である凹溝と係合機構との係合の構造を示す縦断側面図である。
【図１１】四種類のトレーアタッチメントの二つの外観を示す斜視図である。
【図１２】四種類のトレーアタッチメントの二つの外観を示す斜視図である。
【図１３】トレーユニットがトレーアタッチメントでウォールユニットに装着される状態を示す分解斜視図である。
【図１４】バスケットユニットがウォールユニットに装着される状態を示す分解斜視図である。
【図１５】シャフトユニットがウォールユニットに装着される状態を示す分解斜視図である。
【図１６】フレームアタッチメントでフレームユニットがウォールユニットに装着される状態を示す分解斜視図である。
【図１７】四種類のフレームユニットの一つを示す斜視図である。
【図１８】四種類のフレームユニットの一つを示す斜視図である。
【図１９】四種類のフレームユニットの一つを示す斜視図である。
【図２０】四種類のフレームユニットの一つを示す斜視図である。
【図２１】一変形例のストッカユニットを有するタバコ陳列システムの外観を示す斜視図である。
【図２２】他の変形例のフレームユニットで形成されたタバコ陳列システムの外観を示す分解斜視図である。
【図２３】タバコパックがマガジンユニットで収容されたトレーユニットが四種類のフレームユニットの一つにセットされる状態を示す分解斜視図である。
【図２４】さらに他の変形例のフレームユニットを利用してストッカユニットを有するタバコ陳列システムの外観を示す斜視図である。
【図２５】さらに他の変形例のスライダユニットの外観を示す斜視図である。
【図２６】スライダユニットがトレーユニットに装着された状態を示す斜視図である。
【図２７】さらに他の変形例の樹脂パネルを利用してトレーユニットにタバコパックを収容する状態を示す平面図である。
【図２８】さらに他の変形例の陳列シミュレータの外観を示す平面図である。
【図２９】陳列シミュレータが利用された状態を示す平面図である。
【図３０】さらに他の変形例の陳列シミュレータの外観を示す平面図である。
【発明を実施するための最良の形態】
【００３２】
本発明の実施の一形態を図面を参照して以下に説明する。本実施の形態のタバコ陳列システム１０００は、図１に示すように、販売されるタバコパックＴを陳列するために利用される。【００３３】
このため、タバコ陳列システム１０００は、図１ないし各図に示すように、前後方向に細長い上面開口のボックス状に形成されていて前後方向に配列された複数のタバコパックＴを保持する形状の複数のマガジンユニット１００と、上面開口のボックス状に形成されていて左右方向に配列された複数のマガジンユニット１００を着脱自在に保持する形状の複数のトレーユニット２００と、前後方向に扁平な平板状に形成されていて前面に所定形状の凹凸が形成されている複数のウォールユニット５００と、複数のウォールユニット５００を上下方向に連結するウォール連結機構である金属管５３１，５３２と、ウォールユニット５００の凹凸に着脱自在に係合する係合機構６３０とトレーユニット２００を着脱自在に保持する支持フレーム６１０とを有する複数のトレーアタッチメント６００と、を有する。【００３４】
より詳細には、タバコ陳列システム１０００は、タバコパックＴ、複数のタバコパックＴがパックされたタバコカートンＫ、タバコパックＴがオマケとともにパックされたキャンペーンパックＰ、等を陳列する。なお、このキャンペーンパックＰは、例えば、厚紙で形成された簡易什器Ｆとともに店舗に提供される。【００３５】
現在、タバコパックＴは、上下高に多少の高低はあるものの、一般的に前後長と左右幅が共通した直方体状に形成されている。そして、本実施の形態では、タバコパックＴの最大面を前面および後面、最小面を上面および下面、と規定する。【００３６】
なお、一般的にタバコパックＴは前面(および後面)に銘柄などが表記されている。このため、その前面が前方に位置する適正な方向の状態で陳列されることが好ましい。そして、マガジンユニット１００は、図２ないし図４に示すように、上述のように方向が適正な状態の複数のタバコパックＴを前後方向に配列した状態で収容する。【００３７】
ただし、本実施の形態のタバコ陳列システム１０００では、図２に示すように、前後長が大きく１３個のタバコパックＴを保持するマガジンユニット１００ａと、前後長が小さく７個のタバコパックＴを保持するマガジンユニット１００ｂと、がある。【００３８】
なお、マガジンユニット１００は、無色透明な樹脂で形成されている。また、マガジンユニット１００の前端および後端には、上面が開口したポケット１０１，１０２が形成されている。【００３９】
前方のポケット１０１には、例えば、顧客に提示するタバコパックＴの値札などが収容される。後方のポケット１０２には、例えば、店員が確認するタバコパックＴの情報カードなどが収容される。【００４０】
マガジンユニット１００の底部には、前後方向に細長い開口孔１０４が形成されており、この開口孔１０４にスライダ部材１１０が前後方向にスライド自在に装着されている。【００４１】
スライダ部材１１０は、図３に示すように、巻回された板バネ１１１が付勢機構として後部に装着されている。この板バネ１１１の一端はスライダ部材１１０の底面から引き出されてマガジンユニット１００の前部に装着されている。【００４２】
このため、スライダ部材１１０は板バネ１１１により弾発的に前方に付勢されている。なお、図３に示すように、スライダ部材１１０から引き出された板バネ１１１は、マガジンユニット１００の開口孔１０４の内部に位置するため、マガジンユニット１００に収容されるタバコパックＴの底面に接触しない。【００４３】
マガジンユニット１００の底面後部には、ストッパ段部１０５が形成されている。このストッパ段部１０５に係合することにより、スライダ部材１１０は板バネ１１１の張力に抗して停止する。【００４４】
また、マガジンユニット１００の底面前部には、左右方向と直交する断面形状が三角形のマガジン凸部１０７が形成されている。このマガジン凸部１０７は一個のタバコパックＴの前後長と同一の前後長に形成されている。【００４５】
このため、マガジンユニット１００に収容されてスライダ部材１１０により前方に圧接された複数のタバコパックＴは、図４に示すように、最前部の一個のみ上方に突出した状態となる。【００４６】
マガジンユニット１００は、上述のように底面前部にマガジン凸部１０７が形成されているが、これより後方のスライダ部材１１０がスライド移動する範囲では底面が凸部を有しない平面からなる。【００４７】
トレーユニット２００も、図５ないし図８に示すように、上面が開口したボックス状に無色透明な樹脂で形成されている。トレーユニット２００には、複数のマガジンユニット１００が左右方向に配列された状態で収容される。ただし、マガジンユニット１００ａ，１００ｂは、前述のように前後長が相違する二種類がある。【００４８】
そこで、本実施の形態のタバコ陳列システム１０００では、前後長が大きいマガジンユニット１００ａを五個収容するトレーユニット２００ａ、前後長が大きいマガジンユニット１００ａを三個収容するトレーユニット２００ｂ、前後長が小さいマガジンユニット１００ｂを五個収容するトレーユニット２００ｃ、前後長が小さいマガジンユニット１００ｂを三個収容するトレーユニット２００ｄ、がある。【００４９】
トレーユニット２００は、底面両側にトレー凸部２０１が形成されている。ただし、トレーユニット２００は、上述のように二種類の横幅と二種類の前後長との組み合わせの四種類があるが、トレー凸部２０１と前面との距離は共通である。また、トレーユニット２００の前部にも、例えば、複数のタバコパックＴの宣伝カードなどが収容されるポケット２０２が形成されている。【００５０】
ウォールユニット５００は、図９に示すように、ベースウォール５００ａとパネルウォール５００ｂとがある。ベースウォール５００ａとパネルウォール５００ｂとは、前後方向に扁平な平板状のウォール部５１０を有する。【００５１】
ベースウォール５００ａは、ウォール部５１０の下端に台座５２０が一体に形成されており、ウォール部５１０の上端にウォール連結機構が搭載されている。パネルウォール５００ｂは、上端と下端とにウォール連結機構が搭載されている。【００５２】
より具体的には、ウォールユニット５００は、後面左右に補強を兼用した断面矩形の金属管５３１が装着されている。そして、パネルウォール５００ｂでは、その金属管５３１の下端に、一回り小径の金属管５３２が固定されている。【００５３】
そして、パネルウォール５００ｂの下端の金属管５３２が、ベースウォール５００ａやパネルウォール５００ｂの上端の金属管５３１に上方から係脱自在に係合する。そこで、これらの金属管５３１，５３２からなるウォール連結機構により、パネルウォール５００ｂは、複数を上下方向に連結することができ、ベースウォール５００ａの上端に連結することもできる。【００５４】
また、ベースウォール５００ａとパネルウォール５００ｂとのウォール部５１０は、前面に所定形状の凹凸が形成されている。より具体的には、凹凸として、左右方向に連通する凹溝５１１が上下方向に所定間隔で配列された形状に形成されている。その凹溝５１１は、例えば、図１０に示すように、後部が下方に曲折したＬ字型の断面形状に形成されている。【００５５】
トレーアタッチメント６００ａ〜６００ｄは、図１１および図１２に示すように、トレーユニット２００ａ〜２００ｄを個々に保持する構造に形成されている。より詳細には、トレーアタッチメント６００は、前後方向に細長い一対の支持フレーム６１０を有する。【００５６】
支持フレーム６１０は、トレーユニット２００を支持する前後方向に細長いレール状に形成された金属の板材からなる。その一対の支持フレーム６１０は、左右方向に細長い連結フレーム６２０により下面前後で連結されている。【００５７】
ただし、トレーユニット２００は、前述のように二種類の左右幅と二種類の前後長との組み合わせの四種類がある。そこで、トレーアタッチメント６００ａ〜６００ｄも、トレーユニット２００ａ〜２００ｄに対応して二種類の左右幅と二種類の前後長との組み合わせの四種類がある。【００５８】
また、トレーアタッチメント６００ａ〜６００ｄは、支持フレーム６１０にガイド凹部６１１が形成されている。このガイド凹部６１１にトレーユニット２００のトレー凸部２０１が係合する。【００５９】
なお、四種類のトレーユニット２００と四種類のトレーアタッチメント６００とは、装着により後部の位置が一致するように、トレー凸部２０１とガイド凹部６１１とが形成されている。【００６０】
また、支持フレーム６１０の後端には、ウォールユニット５００の凹溝５１１に着脱自在に係合する係合機構６３０が後部に形成されている。この係合機構６３０は、図１０に示すように、ウォールユニット５００の凹溝５１１に係合する上下一対のＬ字型の係合部６３１，６３２からなる。【００６１】
なお、上述のようにトレーユニット２００およびトレーアタッチメント６００は、二種類の左右幅に形成されている。このため、図１３に示すように、ウォールユニット５００は、幅広のトレーアタッチメント６００ａ，６００ｃに対応した左右幅に形成されている。【００６２】
また、前述のようにトレーユニット２００は前後長が二種類なので、ベースウォール５００ａの台座５２０は、前後長が最大のトレーユニット２００ａ，２００ｂに対応した前後長に形成されている。従って、何れのトレーユニット２００を利用する場合にも、トレーユニット２００がベースウォール５００ａの台座５２０より前方に突出することがない。【００６３】
さらに、本実施の形態のタバコ陳列システム１０００は、図１等に示すように、上述したトレーユニット２００以外にも、ウォールユニット５００に着脱自在に装着される各種のユニットを有する。【００６４】
例えば、図１および図１４に示すように、バスケットユニット７１０は、上面が開口したボックス状のバスケット部７１１と、このバスケット部７１１の後部に形成されている係合機構６３０と、からなる。【００６５】
さらに、図１および図１５に示すように、シャフトユニット７２０は、前後方向に細長いシャフト部７２１と、このシャフト部７２１の後部に形成されている係合機構６３０と、からなる。【００６６】
また、図１および図１６に示すように、フレームユニット３００は、一対のフレームアタッチメント７００によりウォールユニット５００の前面に装着される。フレームアタッチメント７００は、前後方向に細長い断面Ｌ字型の支持部７０１と、この支持部７０１の後部に形成されている係合機構６３０と、からなる。【００６７】
このフレームユニット３００は、前面開口のボックス状に形成されていて上下方向に離間した配置で複数のトレーユニット２００を着脱自在に保持する。より詳細には、フレームユニット３００は、図１７ないし図２０に示すように、一対の本体フレーム３１０と複数の支持フレーム３２０からなる。【００６８】
本体フレーム３１０は、前面形状が矩形の枠状となるように曲折された金属の板材からなり、一対が前後方向に配列されている。支持フレーム３２０は、トレーユニット２００を支持する前後方向に細長いレール状に形成された金属の板材からなり、複数が上下方向に配列されて一対の本体フレーム３１０の内側面に接合されている。【００６９】
フレームユニット３００も、トレーユニット２００のトレー凸部２０１が係合するガイド凹部３２１が支持フレーム３２０に形成されている。なお、トレーユニット２００は、前述のように二種類の左右幅がある。【００７０】
そこで、本実施の形態のタバコ陳列システム１０００では、図１７ないし図２０等に示すように、左右幅が大きいトレーユニット２００ａ，２００ｃを三個保持するフレームユニット３００ａ、左右幅が大きいトレーユニット２００ａ，２００ｃを二個保持するフレームユニット３００ｂ、左右幅が小さいトレーユニット２００ｂ，２００ｄを三個保持するフレームユニット３００ｃ、左右幅が小さいトレーユニット２００ｂ，２００ｄを二個保持するフレームユニット３００ｄ、がある。【００７１】
上述のような構成において、本実施の形態のタバコ陳列システム１０００では、図１に示すように、複数のウォールユニット５００を上下方向に連結して所望の上下高とすることができる。また、そのウォールユニット５００を左右方向に配列して所望の左右幅とすることができる。【００７２】
つまり、本実施の形態のタバコ陳列システム１０００は、全高と全幅とを所望により増減することができるので、設置する空間に対応した外形とすることができる。このため、空間を有効に利用することができ、デッドスペースの発生を良好に抑制することができる。【００７３】
そして、上述のように上下左右に配列したウォールユニット５００の前面の所望の位置にトレーアタッチメント６００でトレーユニット２００を装着することができる。また、組み立てたウォールユニット５００の前面の所望の位置に一対のフレームアタッチメント７００とフレームユニット３００によりトレーユニット２００を装着することもできる。【００７４】
上述のようにウォールユニット５００の前面に装着されたトレーユニット２００には、マガジンユニット１００によりタバコパックＴを収容することできる。その場合、四種類のトレーユニット２００ａ〜２００ｄ、二種類のマガジンユニット１００ａ，１００ｂ、を利用者が所望により自在に組み合せることができる。このため、タバコパックＴを自由なレイアウトで陳列することができる。【００７５】
しかも、トレーユニット２００やフレームユニット３００にタバコカートンＫや簡易什器Ｆを直接に収容することもできるので、従来のタバコ陳列システムでは陳列が困難だったタバコカートンＫなども良好に陳列することができる。【００７６】
特に、五個のマガジンユニット１００を保持するトレーユニット２００ａ，２００ｃは、横幅がタバコカートンＫの全長より微少に長い。従って、トレーユニット２００ａ，２００ｃに、タバコカートンＫを横長の状態で無駄なく収容することができる。【００７７】
さらに、ウォールユニット５００の前面には、所望の位置にバスケットユニット７１０も装着することができる。このため、このバスケットユニット７１０により、従来のタバコ陳列システムでは陳列が困難だったタバコカートンＫや簡易什器Ｆなども良好に陳列することができる。【００７８】
しかも、ウォールユニット５００の前面には、所望の位置にシャフトユニット７２０も装着することができる。このため、このシャフトユニット７２０により、従来のタバコ陳列システムでは陳列が困難だったキャンペーンパックＰなども良好に陳列することができる。【００７９】
本実施の形態のタバコ陳列システム１０００では、上述のようにウォールユニット５００の全高と全幅とを自由に変更することができ、その前面にタバコパックＴだけでなくタバコカートンＫや簡易什器ＦやキャンペーンパックＰなども自由に陳列することができる。【００８０】
このため、タバコパックＴを販売する店舗が所望により陳列形態を自在に変更することができる。従って、設置場所にもタバコパックＴの陳列形態にも柔軟性があるので、訴求効果が高い売場を演出するようなことができる。【００８１】
店舗が積極的にタバコパックの陳列形態を工夫して訴求効果が良好な売場を構築することができる。さらに、店舗にタバコパックＴを供給する企業も、新規な陳列形態を提案するようなこともできる。【００８２】
また、ウォールユニット５００は間仕切りとしても機能する。このため、例えば、顧客の位置と店員の位置とを良好に隔絶させながら、顧客にタバコパックＴを良好に陳列するようなことができる。【００８３】
しかも、タバコ陳列システム１０００を店舗の壁面に沿わせて設置した場合、その壁面をウォールユニット５００により遮蔽することができる。この場合、陳列するタバコパックＴなど隙間からウォールユニット５００は見えるが壁面は見えないので、訴求効果を向上させることができる。【００８４】
しかも、ウォールユニット５００は、金属管５３１，５３２の係合により上下方向に接合される。このため、工具などを必要とすることなく簡単かつ強固に複数のウォールユニット５００を上下方向に連結することができる。【００８５】
このため、全体に大型で強固なタバコ陳列システム１０００を、小型で軽量なウォールユニット５００により、簡単に構築することができる。特に、収容するタバコパックＴは軽量なので、タバコ陳列システム１０００は相対的に高強度となる。【００８６】
特に、上述の金属管５３１，５３２は、ウォールユニット５００の補強を兼用している。このため、ウォールユニット５００は、部品点数が必要最小限とされており、軽量で生産性も良好である。【００８７】
本実施の形態のタバコ陳列システム１０００は、各部を分解した状態で搬入し、工具を使用することなく組み立てることができる。従って、搬入や設置を迅速に省スペースで実行することができる。【００８８】
例えば、２４時間営業のコンビニエンスストアなどでは、タバコ陳列システム１０００の搬入や設置を、顧客に店舗を開放している状態で実行する必要がある。しかし、タバコ陳列システム１０００は、上述のように搬入や設置を迅速に省スペースで実行することができるので、コンビニエンスストアなどの販売業務を阻害することがない。【００８９】
また、マガジンユニット１００は、収容された複数のタバコパックＴをスライダ部材１１０により前方に押圧する。このため、複数のマガジンユニット１００に収容しているタバコパックＴを、共通の位置に自動的に陳列することができる。【００９０】
しかも、マガジンユニット１００は、収容している複数のタバコパックＴをマガジン凸部１０７により最前部の一個のみ上方に突出させる。このため、収容されている複数のタバコパックＴから一個を容易に取り出すことができる。【００９１】
従って、タバコ陳列システム１０００を顧客に対面する売場に設置することにより、顧客にタバコパックＴ等を良好に陳列しながら、顧客に所望のタバコパックＴ等を取り出させることができる。【００９２】
また、マガジンユニット１００は、図３に示すように、後方にスライド移動させたスライダ部材１１０をストッパ段部１０５に係合させることにより、板バネ１１１の張力に抗して停止させることができる。このため、マガジンユニット１００に複数のタバコパックＴを容易に補充することができる。【００９３】
また、本実施の形態のタバコ陳列システム１０００は、上述のようにウォールユニット５００やトレーユニット２００やマガジンユニット１００を自由に組み合わせて組み立てることができるので、その一部を分解して清掃するようなことも容易である。【００９４】
特に、本実施の形態のマガジンユニット１００は、少なくともスライダ部材１１０がスライド移動する範囲では底面が凸部を有しない平面からなる。このため、タバコパックＴが直接に載置されて汚損しやすいマガジンユニット１００の底面を、簡単に洗浄や清掃等することができる。【００９５】
さらに、マガジンユニット１００とトレーユニット２００とが無色透明な樹脂で形成されている。このため、トレーユニット２００に収容されたタバコカートンＫや、トレーユニット２００にマガジンユニット１００で収容されたタバコパックＴを、良好に視認できる状態に陳列することができる。【００９６】
なお、現在ではタバコパックＴやタバコカートンＫはダンボール箱に梱包されて店舗に提供され、店舗でタバコ陳列システム１０００のマガジンユニット１００やトレーユニット２００に補充されている。【００９７】
しかし、タバコパックＴが充填されたマガジンユニット１００やタバコカートンＫが充填されたトレーユニット２００を店舗に提供し、店舗から空のマガジンユニット１００やトレーユニット２００を回収することもできる。この場合、店舗ではタバコパックＴやタバコカートンＫをマガジンユニット１００やトレーユニット２００に補充する作業が無用となるので、販売効率を向上させることができる。【００９８】
なお、本発明は本実施の形態に限定されるものではなく、その要旨を逸脱しない範囲で各種の変形を許容する。例えば、上記形態ではタバコ陳列システム１０００がウォールユニット５００やトレーユニット２００やマガジンユニット１００等からなることを例示した。【００９９】
しかし、図２１および図２４に示すように、タバコ陳列システム１０００が、ストッカユニット４００やテーブルユニット４１０を、さらに有してもよい。ストッカユニット４００は、少なくとも上面が平坦で前面が開閉自在なボックス状に形成されている。【０１００】
テーブルユニット４１０は、上面が平坦で上下方向に扁平なボックス状に形成されている。テーブルユニット４１０は、ユニットボックス４１１にテーブル部材４１２が前後方向にスライド自在に収容されている。このため、テーブル部材４１２を前方に突出させて作業に利用することができる。【０１０１】
なお、上述のストッカユニット４００とテーブルユニット４１０とは、ウォールユニット５００に対応した左右幅に形成されている。このため、タバコ陳列システム１０００の全体を統一感のある外観とすることができ、デッドスペースの発生を有効に防止することができる。【０１０２】
上述のようなストッカユニット４００を利用することにより、カウンタなどがない場所にも、タバコ陳列システム１０００を適正な状態に設置することができる。さらに、上述のようなテーブルユニット４１０を利用することにより、タバコパックＴの補充などの作業性を向上させることができ、それでいて使用しないときに邪魔となることもない。【０１０３】
さらに、上記形態ではタバコ陳列システム１０００の全体をウォールユニット５００で形成し、その前面にフレームユニット３００などでタバコパックＴを陳列することを例示した。【０１０４】
しかし、そのフレームユニット３００でタバコ陳列システム１０００の全体を形成することもできる。より具体的には、図１７ないし図２０に示すように、フレームユニット３００は、本体フレーム３１０の上面両側と下面両側とに、フレーム連結機構となる面ファスナ３１１が装着されている。【０１０５】
また、本体フレーム３１０の下面中央には、フレーム凹部となるフレーム貫通孔３１３が形成されている。本体フレーム３１０の上面中央には、フレーム凸部となる凸部材３１４が装着されている。【０１０６】
そこで、横幅が同一の複数のフレームユニット３００を上下方向に設置すると、その複数のフレームユニット３００が面ファスナ３１１により連結される。このとき、フレーム貫通孔３１３と凸部材３１４とが係合する。【０１０７】
そこで、図２２に示すように、上下方向に連結したフレームユニット３００を左右方向に配列し、そこにトレーユニット２００やマガジンユニット１００などを装着することでも、タバコ陳列システム１０００を形成することができる。【０１０８】
なお、前述のようにフレームユニット３００の支持フレーム３２０にはトレーユニット２００のトレー凸部２０１が係合するガイド凹部３２１が形成されている。ただし、前述のようにトレーユニット２００は二種類の前後長があるが、その前面からトレー凸部２０１までの距離は共通である。【０１０９】
また、四種類のフレームユニット３００も、その各々の前面からガイド凹部３２１までの距離は共通である。このため、図２２および図２３に示すように、フレームユニット３００に保持されたトレーユニット２００の前面の位置は同一となる。【０１１０】
換言すると、前述のようにウォールユニット５００にフレームアタッチメント７００で装着したフレームユニット３００にトレーユニット２００を保持させるときは、前後長が長いトレーユニット２００ａ，２００ｂは使用せず、前後長が短いトレーユニット２００ｃ，２００ｄを使用する。【０１１１】
上述のようにフレームユニット３００で形成したタバコ陳列システム１０００も、四種類のフレームユニット３００ａ〜３００ｄ、四種類のトレーユニット２００ａ〜２００ｄ、二種類のマガジンユニット１００ａ，１００ｂ、を利用者が所望により自在に組み合せることができる。【０１１２】
また、上述のようにフレームユニット３００で構築したシステムとウォールユニット５００で構築したシステムとを並設してタバコ陳列システム１０００とすることもできる(図示せず)。【０１１３】
さらに、図２４に示すように、上述のようにフレームユニット３００で形成したタバコ陳列システム１０００が、ストッカユニット４００やテーブルユニット４１０を、さらに有してもよい。【０１１４】
その場合、フレームユニット３００は二種類の左右幅に形成されているので、ストッカユニット４００やテーブルユニット４１０も対応した二種類の左右幅に形成しておくことがよい。【０１１５】
上述したタバコ陳列システム１０００では、全体を形成するウォールユニット５００とフレームユニット３００とで、トレーユニット２００やマガジンユニット１００が共用される。【０１１６】
このため、タバコ陳列システム１０００を生産するメーカは、その生産性を向上させることができる。特に、ウォールユニット５００でタバコ陳列システム１０００を形成した場合、その部品としてフレームユニット３００を利用することができる。【０１１７】
さらに、タバコ陳列システム１０００を利用する店舗は、ウォールユニット５００とフレームユニット３００との利用を一方から他方に切り換えるような場合でも、トレーユニット２００やマガジンユニット１００の利用を継続することができる。【０１１８】
また、複数の売場の一部ではフレームユニット３００で構築したタバコ陳列システム１０００を利用し、他部ではウォールユニット５００で構築したタバコ陳列システム１０００を利用するような場合でも、トレーユニット２００やマガジンユニット１００を共用することができる。【０１１９】
また、上記形態ではマガジンユニット１００にタバコパックＴを板バネ１１１の弾発力により前方に押圧するスライダ部材１１０が装着されており、トレーユニット２００にタバコカートンＫを直接に収容できることを例示した。【０１２０】
しかし、タバコカートンＫを板バネ１１１の弾発力により前方に押圧するスライダ部材１１０をトレーユニット２００に搭載することもできる。その場合、図２５および図２６に示すように、トレーユニット２００に着脱自在なスライダユニット４３０を用意する。【０１２１】
このスライダユニット４３０は、図２５に示すように、ガイドレール４３１の前後に樹脂部品４３２，４３３が装着されている。ガイドレール４３１にスライダ部材１１０がスライド自在に支持されており、このスライダ部材１１０の後部に巻回されている板バネ１１１の一端が前方の樹脂部品４３２に連結されている。また、樹脂部品４３２，４３３の下面には、物性によりトレーユニット２００に吸着する吸着部材(図示せず)が装着されている。【０１２２】
そこで、図２６に示すように、一対のスライダユニット４３０をトレーユニット２００の底面に装着することにより、そこに収容される複数のタバコカートンＫを前方に押圧してトレーユニット２００の最前部に常時位置させることができる。【０１２３】
また、上記形態ではトレーユニット２００にマガジンユニット１００でタバコパックＴを直立させて収容することを例示した。しかし、図２７に示すように、波形に曲折した形状の樹脂パネル４４０などをトレーユニット２００の底面にセットし、タバコパックＴをマガジンユニット１００とともに傾斜させた状態で収容してもよい。【０１２４】
この場合、タバコパックＴを五列に収容できるトレーユニット２００に四列しか収容できないので、収容の効率は低下する。しかし、タバコパックＴの陳列に変化を持たせることができる。【０１２５】
さらに、上記形態ではマガジンユニット１００やトレーユニット２００が無色透明な樹脂で形成されていることを例示した。しかし、蛍光色の樹脂でマガジンユニット１００などを形成しておいてもよい。【０１２６】
その場合、例えば、通常のタバコパックＴは無色透明なマガジンユニット１００に収容して陳列し、新発売などのタバコパックＴを蛍光色のマガジンユニット１００に収容して陳列するようなことができる。この場合、特定のタバコパックＴを良好にアピールすることができる。【０１２７】
なお、現在ではタバコ陳列システム１０００に陳列されているタバコパックＴなどが販売されるとき、その販売情報が電子キャッシュレジスタ(図示せず)により収集されている。また、タバコパックＴなどがタバコ陳列システム１０００に補充されるとき、その補充情報や在庫情報もハンディターミナル(図示せず)などにより収集されている。【０１２８】
しかし、このような販売情報や補充情報や在庫情報を収集する機能をタバコ陳列システム１０００に搭載することもできる。例えば、現在ではタバコパックＴなどの各種の商品にＲＦＩＤ(Radio Frequency Identification)チップ(図示せず)を搭載することが検討されている。【０１２９】
そこで、タバコ陳列システム１０００にＲＦＩＤリーダ(図示せず)を搭載することにより、タバコ陳列システム１０００でタバコパックＴの販売情報や補充情報や在庫情報を収集することが可能となる。【０１３０】
なお、上述のようなＲＦＩＤリーダは、例えば、マガジンユニット１００、トレーユニット２００、フレームユニット３００、などに搭載してもよく、マガジンユニット１００、トレーユニット２００、フレームユニット３００、などに着脱自在なユニットとしてもよい。【０１３１】
なお、タバコ陳列システム１０００を店舗に提供する場合、当然ながら店舗により必要なユニット１００，２００，５００等の組み合わせは相違する。その場合、店舗で必要なユニット１００〜を検討することになるが、その検討を支援するための陳列シミュレータ８００を店舗に提供することもできる。【０１３２】
このような陳列シミュレータ８００ｂは、例えば、図２８および図２９に示すように、ウォールユニット５００の前面形状を所定の縮尺で模した平板状のユニット模型８７０、これと同一の縮尺でストッカユニット４００の前面形状を模したストッカ模型８３０、同一の縮尺で人間の前面形状を模した平板状の人間模型８５０、複数の模型８３０，８５０，８７０がレイアウトされて着脱自在に装着されるとともに人間模型が着脱自在に装着されるレイアウト台紙８６０、等からなる。【０１３３】
レイアウト台紙８６０は磁性シートで形成されており、模型８７０はマグネットシートで形成されている。このような陳列シミュレータ８００ｂが提供された店舗では、図２９に示すように、レイアウト台紙８６０に各種の模型８３０，８５０，８７０をレイアウトすることにより、タバコ陳列システム１０００の各種ユニット１００〜５００等の組み合わせを検討することができる。【０１３４】
しかも、この陳列シミュレータ８００ｂでは、統一の縮尺で人間模型８５０もあるので、タバコ陳列システム１０００と人間との相対関係も確認することができる。【０１３５】
特に、人間模型８５０は、腕部が回動自在に形成されている。このため、人間が作業できる範囲にタバコ陳列システム１０００を構築できるかなども確認することができる。【０１３６】
さらに、店舗でレイアウト台紙８６０に各種模型８３０，８５０，８７０がレイアウトされた陳列シミュレータ８００ｂをタバコ陳列システム１０００のメーカが回収し、そのレイアウトに対応して各種ユニット１００〜５００等をメーカが店舗に提供するようなこともできる。【０１３７】
なお、当然ながら、図３０に示すように、フレームユニット３００の前面形状を所定の縮尺で模した平板状のユニット模型８１０、同一の縮尺で店舗のカウンタ(図示せず)の前面形状を模したカウンタ模型８２０、同一の縮尺でテーブルユニット４１０の前面形状を模したテーブル模型８４０、等を有する陳列シミュレータ８００ａも同様に形成することができる。
【図１】
2008041359.tif 000003
【図２】
2008041359.tif 000004
【図３】
2008041359.tif 000005
【図４】
2008041359.tif 000006
【図５】
2008041359.tif 000007
【図６】
2008041359.tif 000008
【図７】
2008041359.tif 000009
【図８】
2008041359.tif 000010
【図９】
2008041359.tif 000011
【図１０】
2008041359.tif 000012
【図１１】
2008041359.tif 000013
【図１２】
2008041359.tif 000014
【図１３】
2008041359.tif 000015
【図１４】
2008041359.tif 000016
【図１５】
2008041359.tif 000017
【図１６】
2008041359.tif 000018
【図１７】
2008041359.tif 000019
【図１８】
2008041359.tif 000020
【図１９】
2008041359.tif 000021
【図２０】
2008041359.tif 000022
【図２１】
2008041359.tif 000023
【図２２】
2008041359.tif 000024
【図２３】
2008041359.tif 000025
【図２４】
2008041359.tif 000026
【図２５】
2008041359.tif 000027
【図２６】
2008041359.tif 000028
【図２７】
2008041359.tif 000029
【図２８】
2008041359.tif 000030
【図２９】
2008041359.tif 000031
【図３０】
2008041359.tif 000032
【国際調査報告】
2008041359.tif 000033
2008041359.tif 000034
2008041359.tif 000035
2008041359.tif 000036